(57)【特許請求の範囲】
【請求項１】
複数の景品を捕獲する遊戯を楽しむ遊戯装置において、
前記複数の景品を収容する、フレームを備えた筺体状の保持部と、
走行レールに懸垂されて前記保持部内を移動可能な乗物装置とを備え、
前記乗物装置に、
遊戯者の操作によって前記保持部内の前記景品を取得する取得手段と、
当該乗物装置を前記走行レールに沿って移動させるための操作部とを備えることを特徴とする遊戯装置。
【請求項２】
前記走行レールが、平面視十字形状に配設され、
前記保持部が水平回転する請求項１に記載の遊戯装置。
【請求項３】
前記走行レールが、平面視十字形状に配設され、
軸中心に回転可能に設けられたポストに、前記走行レールの中心部が支持された請求項１に記載の遊戯装置。
【請求項４】
複数の景品を捕獲する遊戯を楽しむ遊戯装置において、
前記複数の景品を収容する、フレームを備えた筺体状の保持部と、
前記フレームの上辺内側に配設された相互に対峙する一対の平行なガイドレールと、
前記ガイドレールに沿って移動する乗物装置とを備え、
前記乗物装置に、
遊戯者の操作によって前記保持部内の前記景品を取得する取得手段と、
当該乗物装置を前記ガイドレールに沿って移動させるための操作部とを備えることを特徴とする遊戯装置。
【請求項５】
複数の景品を捕獲する遊戯を楽しむ遊戯装置において、
前記複数の景品を収容する、フレームを備えた筺体状の保持部と、
前記保持部内に配設された乗物装置とを備え、
前記乗物装置が、
遊戯者の操作によって前記保持部内の景品を取得する操作部材を備えた取得手段と、
前記保持部内の略中心位置に立設された支持ポストと、
前記支持ポストに回転自在に支持された回転軸と、
前記回転軸に一端が支持された支持アームと、
前記支持アームの他端に支持された移動体とを備えることを特徴とする遊戯装置。
【請求項６】
前記取得手段が、前記景品を引き掛けて取得する引掛部を備えてなる請求項１から５いずれか一項に記載の遊戯装置。
【請求項７】
前記保持部を一定の取得遊戯領域内に設けるとともに、前記取得手段によって取得された前記景品を前記取得遊戯領域内から取得遊戯領域外に排出する排出手段を設けてなる請求項１から６いずれか一項に記載の遊戯装置。
【請求項８】
前記乗物装置が、前記取得手段によって取得された前記景品を装置内に回収する回収手段を備えてなる請求項１から７いずれか一項に記載の遊戯装置。
【発明の詳細な説明】
【０００１】
【発明の属する技術分野】
本発明は、保持部内に複数の被取得物品を収容してなり、把持ハンドなどを具備した取得手段を操作し、前記被取得物品を取得して遊ぶように構成された遊戯装置に関する。
【０００２】
【従来の技術及び発明が解決しようとする課題】
従来、上記遊戯装置として図２０に示すような装置が知られている。同図に示すように、この遊戯装置２００は、筐体状の本体２０１と、この本体２０１に設けられた保持部２０２内に収容される複数の被取得物品２０３と、前記保持部２０２内で前記被取得物品２０３の上方に配設される取得手段２０４などから構成される。
【０００３】
前記取得手段２０４は、開閉可能に設けられ、閉じた際に前記被取得物品２０３を把持し得るように構成された把持ハンド２０５と、この把持ハンド２０５を支持する支持ロッド２０６と、この支持ロッド２０６及び把持ハンド２０５を上下方向，左右方向及び前後方向の各方向に移動させる駆動手段（図示せず）と、駆動手段（図示せず）及び前記把持ハンド２０５の作動を制御する制御手段（図示せず）と、制御手段（図示せず）に信号を入力して前記駆動手段（図示せず）及び前記把持ハンド２０５の作動を操作する操作釦２０７などからなる。
【０００４】
また、前記保持部２０２内には投入口２０８が設けられる一方、本体２０１にはその外側面に開口した取出口２０９が設けられており、これら投入口２０８及び取出口２０９が相互に連通した状態となっている。また、前記被取得物品２０３は、球体状の透明なカプセルと、このカプセル内に収容される例えばキャラクタ・グッズなどの物品からなる。尚、被取得物品２０３としてキャラクタ・グッズなどを非包装のまま収容する場合もある。
【０００５】
この遊戯装置２００は、遊戯者が所定料金の硬貨を投入することによって、操作釦２０７による操作が可能となり、前記制御手段（図示せず）は操作釦２０７からの信号を受信して、把持ハンド２０５に予め定められた特定の動作を実行させるべく前記駆動手段（図示せず）及び把持ハンド２０５の作動を制御する。具体的には、例えば、把持ハンド２０５を左右方向に移動させる操作釦２０７が押されると、基点位置から把持ハンド２０５を同方向に往動させ、押釦が解除されると把持ハンド２０５を停止させる。次に、把持ハンド２０５を前後方向に移動させる操作釦２０７が押されると、把持ハンド２０５を前記停止位置から同方向に往動させ、押釦が解除されると把持ハンド２０５を停止させた後、以降の一連の自動運転動作（把持動作）を実行させる。即ち、把持ハンド２０５を降下させた後、これを閉動作させ、しかる後これを上昇させ、ついで、これを前記左右方向及び前後方向に往動させて前記投入口２０８の上方に移動させた後、把持ハンド２０５を開動作させ、しかる後これを前記基点位置に復帰させる。尚、前記把持ハンド２０５を左右方向及び前後方向に往動させる前記操作釦２０７による操作はそれぞれ１回に限られている。
【０００６】
斯くして、この遊戯装置２００によれば、遊戯者が把持ハンド２０５を左右方向及び前後方向に移動させる操作釦２０７をそれぞれ１回だけ操作することによって、所望のキャラクタ・グッズなどが収納されたカプセルを把持可能と判断される位置に、前記把持ハンド２０５を移動させた後これを停止させると、その後把持ハンド２０５は自動運転によって上記一連の把持動作を実行し、把持ハンド２０５によって前記カプセルが把持された場合には、これが前記投入口２０８に投入される。そして、投入口２０８に投入されたカプセルはこの投入口２０８に連通する取出口２０９に移送され、遊戯者は取出口２０９から取り出してこれを入手することができる。
【０００７】
このように、この遊戯装置２００によると、遊戯者は機械的な機構から構成される取得手段２０４を操作することによって、所望のキャラクタ・グッズなどを取得することができるので、遊戯者は機械操作に関する好奇心を満足させることができ、趣味感に溢れた遊戯を楽しむことができる。また、キャラクタ・グッズなどを取得するための操作は１回に限られるので、遊戯者はスリリングな遊戯を楽しむことができ、更に、キャラクタ・グッズなどを得ることができるという趣味的且つ物質的な欲望を満足させることができる。
【０００８】
その一方、遊戯者自身は遊戯装置２００の外にいてこれを操作するだけであるので、遊戯者自身が体感することのできる要素がなく、臨場感に欠けるという面がある。本発明者は、上記遊戯装置２００の備える、▲１▼機械操作に関する好奇心を満足させることができる、▲２▼趣味感に溢れた遊戯を楽しむことができる、▲３▼スリリングな遊戯を楽しむことができる、▲４▼趣味的且つ物質的な欲望を満足させることができるといった作用，効果に加え、遊戯者自身が臨場感を体感でき、しかも上記機械操作に関する好奇心を更に満足させることができ、更に趣味感に溢れた遊戯を楽しむことができる遊戯装置を開発すべく鋭意努力した結果、本発明をなすに至ったものである。
【０００９】
斯くして、本発明は、遊戯者自身が臨場感や躍動感を体感でき、しかも機械操作に関する好奇心をより満足させることができ、より趣味感に溢れた遊戯を楽しむことができる遊戯装置の提供を目的とする。
【００１０】
【課題を解決するための手段及びその効果】
上記目的を達成するための本発明の遊戯装置は、複数の景品を収容する、フレームを備えた筺体状の保持部と、前記保持部内を移動及び／又は回転可能に設けられた搭乗部を備えた乗物装置とを備え、遊戯者の操作によって前記保持部内の前記被取得物品を取得する取得手段が、前記乗物装置に付設され、前記搭乗部を移動及び／又は回転させるための操作部を前記乗物装置に備えることを特徴とする。
【００１１】
本発明によれば、遊戯者は次のような遊戯を楽しむことができる。即ち、まず、遊戯者が乗物装置の搭乗部に搭乗する。次に、遊戯者の操作により若しくは自動的に乗物装置が適宜位置に移動及び／又は回転する。そして、遊戯者は乗物装置に付設された取得手段を操作して保持部内に保持された被取得物品を取得するという遊戯を行う。このような遊戯においては、遊戯者は取得手段を操作するという行為によって、機械的な操作に関する好奇心を満足させることができ、趣味感に溢れた遊戯を楽しむことができる。また、乗物装置に搭乗して移動及び／又は回転することができるので、遊戯者自身が臨場感や躍動感を体感することできるとともに、当該遊戯者の上記機械操作に関する好奇心をより満足させることができ、より趣味感に溢れた遊戯を楽しませることができる。また、前記被取得物品を、遊戯者が極めて強い関心を示すキャラクタ・グッズなどの景品にすれば、これを取得することができるという遊戯者の趣味的且つ物質的な欲望を満足させることができる。また、前記乗物装置を移動及び／又は回転させるための操作部を備えた構成とすることで、遊戯者の操作によって前記乗物装置が移動及び／又は回転するようにすることができる。
【００１２】
前記乗物装置が前記フレームに備えたガイドレールを移動する構成とできる。更に、乗物装置の搭乗部が前記筺体に備えた回転軸により回転する構成とできる。更に、複数の被取得物品を収容する、環状の保持部と、前記環状の保持部の内側に設けられ、水平回転可能な円形のステージと、前記円形のステージ上に設けられた、搭乗部を備えた乗物装置とを備えた構成とすることができる。また、前記取得手段は、前記被取得物品を捕獲して取得する捕獲部を備えたものや、前記被取得物品を引き掛けて取得する引掛部を備えたものとすることができる。かかる捕獲部の具体的な機構の例としては、ロボットに用いられるハンド機構のように被取得物品を直接把持する機構のものや、土木機械のパワーショベル，ブルドーザに用いられるショベル機構のように被取得物品をバケット内に保持する機構や、吸引手段によって被取得物品を吸着する機構のものや、お皿状若しくはバケツ状の容器により被取得物品を捕獲するようにした機構のものなどが含まれ、引掛部の具体的な機構の例としては、湾曲したフック形状の部材を移動自在に設け、このフック形状の部材により被取得物品を引き掛けて保持部から取得するように構成されたフック機構や、単に棒状の部材を移動自在に設け、この棒状の部材により被取得物品を引き掛けて保持部から取得するように構成された機構などが含まれる。
【００１３】
また、前記乗物装置には、車輪によって移動する車両や、キャタピラによって移動する土木機械に類似の乗物装置や、船或いは遊戯者の搭乗する座席を旋回アームによって移動させるような遊園地に設置される装置など各種のものが含まれるが、これを所定の軌道に沿って移動するように設けられたものとすることができる。尚、軌道に沿って移動する乗物装置には、列車若しくはモノレールに類似の乗物装置や、所定の水路に沿って移動する船のように軌道に沿って移動する乗物装置などが含まれる。
【００１４】
また、前記取得手段に振動を付与する手段を設けると、前記取得手段によって被取得物品を取得する動作の難易度が増すとともに、取得した被取得物品が振動によって取得手段からこぼれ落ちたりして遊戯全体の難易度が増し、遊戯者にとって当該遊戯が更に興味深いものとなる。尚、かかる振動を付与する手段には、乗物装置の走行路に凹凸を付した構成や、前記取得手段を弾性体によって支持した構成や、取得手段自体を振動し易い構造とした構成などを採用することができる。
【００１５】
また、前記取得手段によって取得された前記被取得物品は、排出手段を設けることによって、これを前記遊戯領域外に排出することができ、或いは前記乗物装置に回収手段を設けることで、これを乗物装置内に取り込むことができる。前記排出手段は、これをランダム或いは一定サイクルで移動するように設けると、取得した前記被取得物品を遊戯領域外に排出させることが困難となり、遊戯の難易度が増して当該遊戯が更に興味深いものとなる。また、前記回収手段は前記取得手段により取得された被取得物品を受け取ることができ、且つこれを乗物装置内に回収することができる構造のものであればどのようなものであっても良いが、その一例を挙げるとすれば、乗物装置の外部に、内部に通じる回収口を設けた機構や、乗物装置に開閉扉を設け、これを開くことによって前記回収口が形成されるようにした機構や、乗物装置内と外部とを往復移動可能に設けられた所謂捕獲網やこれに類似の構造物を配設し、この捕獲網などにより前記被取得物品を回収するようにした機構など採用することができる。尚、前記回収口，開閉扉や捕獲網なども、これを前後或いは左右などにランダム或いは一定サイクルで移動するように設けることで、前記被取得物品を乗物装置内に回収するのが困難となり、遊戯の難易度が増して当該遊戯が更に興味深いものとなる。
【００１６】
【発明の実施の形態】
以下、本発明の具体的な実施形態について、添付図面に基づき説明する。図１は、本実施形態に係る遊戯装置の全体を示す正断面図であり、図２はその平面図であり、図３は乗物装置を拡大して示す拡大図であり、図４は、図３における矢視Ａ方向の側面図である。
【００１７】
図１及び図２に示すように、本例の遊戯装置１は、取得遊戯領域３を区画，形成する仕切体２と、前記取得遊戯領域３内に配設され、複数の被取得物品７を収容，保持する保持部６と、一方側が前記取得遊戯領域３内に位置するように配設された走行レール４と、この走行レール４の両端部をそれぞれ支持するポスト５，５と、前記走行レール４に懸垂され、その長手方向に沿って移動可能となった乗物装置１０と、この乗物装置１０に付設される取得装置２５などを備えてなる。
【００１８】
図３及び図４に示すように、前記乗物装置１０は、前記走行レール４に係合し、これに沿って移動する走行装置２１と、この走行装置２１から、支持ロッド２０，回転装置１９，支持ロッド１８，横フレーム１６，フレーム１５などを介して懸垂，支持される車体１１などを備えてなる。
【００１９】
前記走行レール４は横断面がＩ形状をした鋼材からなり、前記走行装置２１は、前記走行レール４の上下水平辺間であって垂直辺の両側それぞれに、長手方向に適宜間隔をあけて配設される２個１対、合計２対の車輪２２と、対をなす車輪２２を相互に連結する連結ロッド２３と、２つの連結ロッドを連結する連結フレーム２４などから構成される。少なくとも１つの前記車輪２２には駆動モータが内蔵されており、この駆動モータによって車輪２２が回転駆動され、上記の如く走行装置２１は走行レール４の長手方向に沿って移動する。尚、本例では車輪２２に駆動モータを内蔵させた構成にしているが、外部に駆動モータを設け、ギヤやチェーンなどを介して駆動モータの回転駆動力を車輪２２に伝達するように構成しても良い。
【００２０】
前記支持ロッド２０と支持ロッド１８とは回転装置１９を介して相互に回転自在に連結されており、支持ロッド２０の上端部は前記連結フレーム２４の下端面に固着されている。回転装置１９は駆動モータを内蔵しており、この駆動モータによって前記支持ロッド１８をその中心軸回りに回転させるようになっている。そして、支持ロッド１８の下端には横フレーム１６が固設されており、その両端部にはそれぞれコの字形状をしたフレーム１５が固着されている。
【００２１】
前記車体１１は、外観が略楕円球形状をした中空の構造体からなり、内部に床部材１２が配設され、床部材１２上には遊戯者Ｙが着座する座席１３が固設されている。また、車体１１の外側面には遊戯者が出入りするための扉１４が設けられている。また、車体１１の上部は内部に搭乗した遊戯者Ｙの閉鎖感を除くためにこれを開口させている。そして、床部材１２の両側縁部に延設される接続部材１７の端部を前記フレーム１５の下端部に固着して、当該床部材１２がフレーム１５によって支持される構造としている。車体１１はその前部が透明となっている必要があり、搭乗した遊戯者Ｙの足下まで透明となっているのがより好ましい。尚、前部が完全に開口した構造のものとすることもできる。
【００２２】
斯くして、この乗物装置１０は走行装置２１の作動により走行レール４に沿って矢示方向に移動し、取得遊戯領域３内と取得遊戯領域３外との間を往復移動するとともに、回転装置１９の作動により車体１１などが支持ロッド１８の中心軸回りに旋回移動する。そして、かかる動作は、遊戯者Ｙが操作レバー３０を操作することによりこれを実行させることができ、例えば、操作レバー３０を前方に倒すことで車体１１などを前進させ、手前に引くことで後退させるようにすることができ、操作レバー３０をその軸中心に右回転させることにより車体１１などを同方向に旋回させ、左回転させることにより同方向に旋回させるようにすることができる。
【００２３】
前記取得装置２５は、前記床部材１２上に配設された軸受２９によって一端が支持され、矢視方向に揺動自在となった揺動アーム２６と、この揺動アーム２６の他端に懸垂されるエアシリンダ２７と、このエアシリンダ２７のピストンロッド２７ａの先端に固設された把持ハンド２８と、前記揺動アーム２６を揺動動作させる駆動モータ（図示せず）などからなる。揺動アーム２６は車体１１に形成されたスリット状の開口部１１ａから外部に突出するように設けられ、開口部１１ａに沿って上下方向に揺動する。また、把持ハンド２８は相互に接近／離反して開閉する１対の把持爪２８ａを備えており、前記エアシリンダ２７の作動によって昇降するようになっている。
【００２４】
前記揺動アーム２６の揺動動作は、遊戯者Ｙが操作レバー３１を操作することによりこれを実行させることができ、例えば、操作レバー３１を前方に倒すことで揺動アーム２６を下方に揺動させ、操作レバー３１を手前に引くことで揺動アーム２６を上方に揺動させるようにすることができる。また、把持ハンド２８の昇降動作は、遊戯者Ｙが操作ハンドル３２を操作することにより実行させることができ、例えば、操作レバー３２を前方に倒すことで把持ハンド２８を降下させ、操作レバー３２を手前に引くことで把持ハンド２８を上昇させるようにすることができる。更に、把持ハンド２８の開閉動作は操作レバー３２に付設させた操作釦（図示せず）を押釦することによりこれを実行させるようにすることができ、操作釦（図示せず）を一度押釦することで、把持ハンド２８を閉動作させ、再度押釦することで開動作させるようにすることができる。
【００２５】
前記仕切体２は前記取得遊戯領域３を区画，形成することができれば、どのような材料からなるものでも良いが、アクリル板などの透明な材料からこれを構成すれば、取得遊戯領域３内の遊戯を外部から観察することができるので好適である。尚、前記乗物装置１０の走行路と交差する部分の前記仕切体２には、乗物装置１０が出入りするための開口部２ａが形成され、乗物装置１０が取得遊戯領域３内に入ったときにはこの開口部２ａが扉２ｂによって閉じられ、乗物装置１０が取得遊戯領域３外に出るときには、その動作によって扉２ｂが開かれるようになっている。
【００２６】
また、前記保持部６もどのような材料から構成されるものであっても良いが、透明な材料から構成すれば、内部に収容される被取得物品７を外部から観察することができるので好適である。尚、この保持部６は図示しない適宜駆動手段によりその中心軸回りに水平回転するようになっている。また、被取得物品７は透明なカプセル状の球体容器に各種のキャラクタ・グッズを収容して構成されている。また、前記仕切体２には、ダクト状の部材からなり、このダクト内部を介して取得遊戯領域３内と取得遊戯領域３外とを連通させる排出ダクト８が付設されている。また、乗物装置１０が取得遊戯領域３外にあるとき（基点位置）のその近傍には遊戯者Ｙが乗物装置１０に乗り込むためのステップ９が設けられている。
【００２７】
以上の構成を備えた本例の遊戯装置１によれば、遊戯者Ｙは以下のようにして被取得物品７を捕獲する遊戯を楽しむことができる。尚、乗物装置１０は前記基点位置にあり、その水平旋回方向の位置、並びに揺動アーム２６及び把持ハンド２８の位置は図１に示す位置にあり（これを原位置という）、把持ハンド２８は開状態にあるものとする。
【００２８】
まず、遊戯者Ｙはステップ９を上って車体１１内に搭乗し座席１３上に着座する。次いで、遊戯者Ｙは操作レバー３０を操作して乗物装置１０を前進させ、これを取得遊戯領域３内に進入させる。尚、取得遊戯領域３内では保持部６が適当な速度で水平回転している。
【００２９】
次に、遊戯者Ｙは操作レバー３０を操作して乗物装置１０を前進，後退或いは水平旋回させたり、操作レバー３１を操作して揺動アーム２６を上下方向に揺動させたりして、所望の被取得物品７、即ち所望のキャラクタ・グッズが収納されたカプセルを把持可能と判断される位置に、前記把持ハンド２８を移動させた後、操作レバー３２を操作して前記把持ハンド２８を所望位置まで降下させる。そして、狙いを付けたカプセルを把持すべく、保持部６の回転によって旋回する前記カプセルとのタイミングをはかり、操作釦（図示せず）を押釦して把持ハンド２８を閉動作させる。
【００３０】
そして、思惑通り把持ハンド２８によってカプセルを把持できた場合には、遊戯者Ｙは操作レバー３０，３１，３２を操作して把持ハンド２８を排出ダクト８の適宜上方に移動させた後把持ハンド２８を開動作させ、把持したカプセルを排出ダクト８に投入して、取得遊戯領域３外にこれを排出する。
【００３１】
一方、把持ハンド２８によってカプセルを把持できなかった場合や、排出ダクト８へのカプセルの投入を失敗した場合には、本例ではゲーム続行不許可となり、遊戯者Ｙは把持ハンド２８を開動作させた後、乗物装置１０，揺動アーム２６及び把持ハンド２８を前記原位置に復帰させ、次いで乗物装置１０を前記基点位置に復帰させた後、乗物装置１０から降車する。
【００３２】
このように、本例の遊戯装置１によると、遊戯者Ｙは揺動アーム２６，エアシリンダ２７及び把持ハンド２８などの機械的な機構から構成される取得装置２５を操作することによって、所望のキャラクタ・グッズなどを取得することができるので、遊戯者Ｙは機械操作に関する好奇心を満足させることができ、趣味感に溢れた遊戯を楽しむことができる。また、遊戯者Ｙは乗物装置１０に搭乗して取得遊戯領域３内を移動したり、或いは水平旋回したりしながら遊戯を行うことができるので、遊戯者Ｙ自身が移動や旋回に伴う臨場感や躍動感を体感することができ、上記機械操作に関する好奇心がより満足されるとともに、より趣味感に溢れた遊戯を楽しむことができる。
【００３３】
また、前記被取得物品７を、遊戯者Ｙが極めて強い関心を示すキャラクタ・グッズなどにすれば、これを取得することができるという遊戯者Ｙの趣味的且つ物質的な欲望を満足させることができるので、遊戯者Ｙに当該遊戯に対する好奇心や興味をより強く惹き起こさせることができて好ましい。また、保持部６を回転させているので、所望の被取得物品７を取得し難く、このことによって却って遊戯者Ｙの意欲をかきたてることができるという効果が得られる。尚、前記走行装置２１の走行路に凹凸を設けると、この凹凸部を走行する際に乗物装置１０に振動が付与され、この振動が取得装置２５に伝達されて、把持動作自体の難易度が増すとともに、把持した被取得物品７が振動によって把持ハンド２８から外れて落ちるというふうに遊戯全体の難易度が増し、遊戯者にとって当該遊戯が更に興味深いものとなる。かかる振動を付与する手段としては、この他に取得装置２５を弾性体によって支持した構成や、取得装置２５自体を振動し易い構造とした構成などを採用することができる。また、本例では、被取得物品７を取得するための操作を１回に限っているので、遊戯者Ｙはスリリングな遊戯を楽しむことができるが、一定の制限時間内であれば、何度も繰り返してトライすることを認めるのは自由である。
【００３４】
尚、車体１１の上部にキャラクタなどをあしらった装飾物３３を設けて走行装置２１などを隠すようにすれば、その装飾効果を高めることができる。また、本例では、把持ハンド２８によって把持した被取得物品７を、排出ダクト８を介して取得遊戯領域３外に排出するようにしたが、図３に示すように、車体１１の前部に回収口を有する回収部３４を設け、取得した被取得物品７をこの回収部３４から車体１１内に回収するようにしても良い。更に、この回収部３４は、その回収口が開閉するように構成されたものでも良い。また、回収部３４は図示の構造のものに限られず、把持ハンド２８によって把持された被取得物品７を受け取ることができる構造のものであればどのようなものであっても良く、例えば、乗物装置１０内と外部とを往復移動可能に設けられた所謂捕獲網やこれに類似の構造物を配設し、この捕獲網などにより前記被取得物品７を回収するようにした構造のものであっても良い。また、前記排出ダクト８，回収部３４或いは捕獲網などは、これを前後或いは左右などにランダム或いは一定サイクルで移動するように設けたり、回収部３４の回収口をランダム或いは一定サイクルで開閉させることで、前記被取得物品７を遊戯領域３外に排出するのが困難となったり、乗物装置１０内に回収するのが困難となり、遊戯の難易度が増して当該遊戯が更に興味深いものとなる。
【００３５】
以上、本発明の一実施形態について説明したが、本発明の具体的な態様がこれに限られるものでないことは言うまでもなく、例えば、図５乃至図１９に図示したような態様を採ることもできる。
【００３６】
図５に示した態様の遊戯装置４０は、前記乗物装置１０などからなる遊戯装置１を４組設けた構成に相当するもので、４本の前記走行レール４を平面視十字形状に配設し、その中心部に仕切体２及び水平回転する保持部６を配設するとともに、前記取得装置２５を備えた乗物装置１０を各走行レール４に懸垂せしめた構成を備えている。また、各乗物装置１０に対応させてステップ９及び排出ダクト８をそれぞれ配設している。この遊戯装置４０によれば、複数の遊戯者Ｙに同時並行的に遊戯させることができるので、遊戯者Ｙ相互間に競争心が生じ、当該遊戯をより楽しいものとすることができる。
【００３７】
図６に示した態様の遊戯装置５０は、上記遊戯装置４０と略同様の構成を備えるもので、４本の前記走行レール４を平面視十字形状に配設し、軸中心に回転可能に設けられたポスト５１によってその中心部を支持するとともに、ポスト５１と同軸となるように保持部６を配設し、取得装置２５を備えた乗物装置１０を各走行レール４に懸垂せしめた構成を備えている。また、各乗物装置１０に対応させてステップ９をそれぞれ配設している。この遊戯装置５０によれば、ポスト５１が回転駆動されることによって、これを中心として走行レール４及び乗物装置１０が旋回移動する。そして、乗物装置１０が旋回移動する下で上記遊戯装置１０におけると同様の遊戯が実行される。このように、この遊戯装置５０によれば、上記遊戯装置４０と同様に、複数の遊戯者Ｙに同時並行的に遊戯させることができるので、遊戯者Ｙ相互間に競争心が生じ、当該遊戯をより楽しいものとすることができる。また、乗物装置１０が旋回移動する下で捕獲遊戯を行うので遊戯者Ｙは更に臨場感や躍動感に溢れた遊戯を楽しむことができる。
【００３８】
尚、言うまでもなく、上記遊戯装置４０及び５０においては、４組の乗物装置１０などを設けた構成としたが、これらを設ける組数は、当然これに限定されるものではない。
【００３９】
また、図７に示した態様の遊戯装置６０は、筐体状に形成され、内部に多数の被取得物品７を収容した保持部６１と、遊戯者Ｙが搭乗する乗物装置６２と、保持部６１上に設けられたカバー体６４と、保持部６１内の被取得物品７を取得するための取得装置６３とを備えてなる。
【００４０】
保持部６１は、骨組みとして形成されたフレーム６１ａを備えてなり、このフレーム６１ａによって形成された空間の底面は金属板により塞がれ、側面はガラス板によって塞がれている。同様に、カバー体６４もまた骨組みとして形成されたフレーム６４ａを備えてなり、保持部６１のフレーム６１ａ上に載置，固設され、このフレーム６４ａによって形成された空間の側面はガラス板により塞がれている。尚、フレーム６１ａによって形成された空間の上面及びフレーム６４ａによって形成された空間の上面はそれぞれ開放されている。
【００４１】
乗物装置６２は、前記フレーム６１ａの相互に対峙する一対の平行な上辺内側にそれぞれ配設されたガイドレール６２ｂと、この２本のガイドレール６２ｂにそれぞれ係合して、その長手方向に移動するスライダ６２ｃと、２つのスライダ６２ｃに掛け渡されたクロスビーム６２ｄと、このクロスビーム６２ｄに設けられたガイドレール６２ｅと、ガイドレール６２ｅに係合して、その長手方向に移動するスライダ６２ｆと、スライダ６２ｆに固設された基台（図示せず）と、基台（図示せず）上に載置，固定され、遊戯者Ｙが搭乗，着座する座席（図示せず）を備えた移動体６２ａと、スライダ６２ｃ，６２ｆを移動させる駆動手段（図示せず）とからなる。駆動手段（図示せず）は、移動体６２ａに付設された移動操作スイッチの操作によって作動し、移動体６２ａが矢示Ａ方向及び矢示Ｂ方向に移動する。この移動体６２ａは、様々な形態を採ることができ、例えば、図７に示した形態のほか、図８及び図９に示したものを例示することができる。
【００４２】
取得装置６３は、巻取りドラム６３ａと、この巻取りドラム６３ａに巻き付けられたチェーン６３ｂと、チェーン６３ｂの下端部に取り付けられて吊下せしめられる把持ハンド２８とからなる。把持ハンド２８は、図示しない供給配管を通して供給される圧縮空気によって作動するようになっており、圧縮空気の供給は、移動体６２ａに設けたハンド操作スイッチ（図示せず）によって制御される。また、巻取りドラム６３ａは、遊戯者Ｙの操作によって回転し、チェーン６３ｂを巻き取ったり、逆に繰り出したりして、把持ハンド２８を昇降させる。
【００４３】
この遊戯装置６０によれば、移動体６２ａに搭乗した遊戯者Ｙが、前記移動操作スイッチ（図示せず）を操作することによって、移動体６２ａが矢示Ａ方向及び矢示Ｂ方向に同時に若しくは個別に移動する。そして、所望の位置に移動体６２ａを移動させたところで、遊戯者Ｙは、巻取りドラム６３ａを操作して、開状態にある把持ハンド２８を降下させた後、ハンド操作スイッチ（図示せず）を操作して、把持ハンド２８を閉じさせる。このとき、把持ハンド２８と被取得物品７との位置関係が適切であれば、被取得物品７が把持ハンド２８によって把持され、そうでない場合には、被取得物品７は把持ハンド２８によって把持されない。ついで、遊戯者Ｙが巻取りドラム６３ａを操作して、チェーン６３ｂを巻き取ることにより、把持ハンド２８が上昇して、把持ハンド２８によって被取得物品７が把持されている場合には、遊戯者Ｙはこれを取得する。
【００４４】
尚、前記巻取りドラム６３ａは、これが電動モータによって駆動されるように構成しても良い。また、前記把持ハンド２８に代えて、図８に示した皿状の取得手段６５や、図９に示したバケツ状の取得手段６６としても良い。
【００４５】
また、図１０に示すように、保持部６１のガラス板に、保持部６１内、即ち取得遊戯領域内とその外部とを連通する排出ダクト６７を設け、前記把持ハンド２８によって把持された被取得物品７を、この排出ダクト６７を介して外部に持ち出し可能に設けても良い。尚、排出ダクト６７の取り出し側の開口部には、開閉可能な蓋体６７ａを設けると良い。
【００４６】
また、図１１に示した遊戯装置７０は、筐体状に形成され、内部に多数の被取得物品７を収容した保持部７１と、この保持部７１内に配設され、遊戯者Ｙが搭乗する乗物装置７２と、保持部７１内の被取得物品７を取得するための取得装置７３とを備えてなる。
【００４７】
保持部７１は、骨組みとして形成されたフレーム７１ａを備えてなり、このフレーム７１ａによって形成された空間の底面はフロア面若しくは金属板により塞がれ、側面はガラス板によって塞がれている。尚、フレーム７１ａによって形成された空間の上面は開放されている。
【００４８】
乗物装置７２は、前記保持部７１内の略中心位置に立設された支持ポスト７２ｃと、この支持ポスト７２ｃに回転自在に支持された回転軸７２ｄと、一端が回転軸７２ｄに支持された支持アーム７２ｂと、支持アーム７２ｂの他端に支持された移動体７２ａとを備えてなる。前記回転軸７２ｄは電動モータなどの回転駆動手段（図示せず）によって回転するようになっている。尚、遊戯者Ｙは、保持部７１の周囲に設けられたステップ７４から移動体７２ａに搭乗することができるようになっている。
【００４９】
取得装置７３は、図１２に示すように、棒状をした竿部材７３ａと、連結具７３ｄを介して竿部材７３ａを支持する支柱７３ｅと、竿部材７３ａに回転自在に設けられた巻取りドラム７３ｂと、竿部材７３ａの一方端に設けられたリング７３ｉと、リング７３ｉを経由して巻取りドラム７３ｂに巻き取られた糸条７３ｇと、竿部材７３ａの他方端に設けられた環状の操作部材７３ｆと、前記糸条７３の先端に設けられた引掛け具７３ｈなどからなる。前記連結具７３ｄは、竿部材７３ａと支柱７３ｅとを相対的に、例えば、垂直軸及び水平軸を中心として回転移動させることができるようになっており、遊戯者Ｙが操作部材７３ｆを移動させることにより、竿部材７３ａのリング７３ｉ側の端部を三次元空間内の任意の位置に移動させることができるようになっている。また、巻取りドラム７３ｂにはハンドル７３ｃが設けられており、遊戯者Ｙがこのハンドル７３ｃを操作して巻取りドラム７３ｂを回転させることにより、糸条７３ｇが巻取りドラム７３ｂに巻き取られ、或いは逆に巻取りドラム７３ｂから繰り出されるようになっている。
【００５０】
被取得物品７は、内容物を袋に収容し、その開口部をバンド７ａで封止した形態となっており、バンド７２ａにはリング７ｂが設けられている。また，引掛け具７３ｈは、三叉に分かれたフック状の部材からなり、各フック部が被取得物品７のリング７ｂに係合可能となっている。また、保持部７１の上方には、支柱７５によって支持される屋根７６が設けられている。
【００５１】
この遊戯装置７０によれば、遊戯者Ｙが移動体７２ａに搭乗した後、回転軸７２ｄが回転駆動手段（図示せず）により駆動されて回転し、これにより移動体７２ａが回転軸７２ｄを中心として水平面内で旋回移動する。この状態で、遊戯者Ｙは、巻取りドラム７３ｂに設けられたハンドル７３ｃを操作して、糸条７３ｇを巻取りドラム７３ｂから繰り出し、引掛け具７３ｈを降下させる。これにより、引掛け具７３ｈが保持部７１内に収容された被取得物品７と接触しながら、移動体７２ａとともに旋回移動する。そして、遊戯者Ｙは、かかる状態で移動する引掛け具７３ｈの位置を、竿部材７３ａを移動させることによって制御し、引掛け具７３ｈのフック部が被取得物品７のリング７ｂに係合するように移動させる。このようにして、引掛け具７３ｈのフック部を被取得物品７のリング７ｂに係合させた後、巻取りドラム７３ｂを操作して、糸条７３ｇを巻き取ることにより、引掛け具７３ｈが上昇して、遊戯者Ｙは引掛け具７３ｈに引っ掛かった被取得物品７を取得する。
【００５２】
尚、前記巻取りドラム７３ａは、これが電動モータによって駆動されるように構成しても良い。また、前記引掛け具７３ｈに代えて、図７に示した把持ハンド２８、図８に示した皿状の取得手段６５や、図９に示したバケツ状の取得手段６６としても良い。
【００５３】
また、図１１に示した遊戯装置７０の基本的な構成は、図１３に示した遊戯装置８０に適用することができる。図１３に示した遊戯装置８０は、保持部７１が環状に形成され、保持部７１の内側に円形のステージ８１が設けられ、このステージ８１上に複数の乗物装置７２及び取得装置７３が設けられた構成となっている。ステージ８１は矢示方向に水平回転し、ステージ８１とともに回転する乗物装置７２上で、遊戯者Ｙは上記遊戯を楽しむことができる。
【００５４】
図１４に示した態様の遊戯装置９０は、ループ状に形成された軌道たる走行レール９１と、この走行レール９１の周囲に形成された複数区画の保持部９２と、前記走行レール９１上をこれに沿って走行する複数（本例では３台）の走行車両９３などから構成される。走行レール９１は、列車の軌道に用いられるような２本の平行なレールからなり、走行車両９３はトロッコに類似した構造のもので良く、連結ロッド９４によって直線状に連結されており、少なくとも先頭のものは駆動装置を備えて自走することができるようになっている。尚、走行レール９１を１本のレールから構成し、走行車両９３をモノレールに類似した構造の車両から構成することも可能である。
【００５５】
また、各走行車両９３には上記取得装置２５と同様の取得装置が付設されている。また、前記複数区画に区分けされた保持部９２にはそれぞれ被取得物品が収容されているが、同一の被取得物品を収容する場合には、本例のように必ずしも複数区画に区分けする必要はない。符号９５は遊戯者Ｙが走行車両９３に乗り降りするためのプラットホームである。本例の遊戯装置９０によれば、遊具者Ｙは走行車両９３に搭乗し、移動しながら被取得物品を捕獲する遊戯を行うことができるので、上記遊戯装置１と同様の効果が奏される。尚、本例では走行車両９３を連結した構成のものを例示したが、各走行車両９３は、これらが連結されないで、各々単独で自走することができるようになったものであっても良い。
【００５６】
また、図１５に示した態様の遊戯装置１００は上記遊戯装置９０を変形したものであって、走行レール９１に代えて水路１０１を形成し、走行車両９３に代えてボート１０２を設けて、ボート１０２が水路１０１に沿って進むように構成されている。ボート１０２は自力により水路１０１を進むように設けられたものでも、水路１０１の流れにより進むように設けられたものでもいずれでも良い。また、各ボート１０２には上記取得装置２５と同様の取得装置が付設されている。本例の遊戯装置１００によれば、遊具者Ｙはボート１０２に搭乗し、移動しながら被取得物品を捕獲する遊戯を行うことができるので、上記遊戯装置１と同様の効果が奏される。尚、前記各ボート１０２はこれらを直線的に連結したものであっても良い。
【００５７】
図１６に示した態様の遊戯装置１１０は、平面視Ｃ字形状に配設された保持部１１１と、前記取得装置２５の付設された自走式の走行車両１１２などから構成される。走行車両１１２は車輪によって移動する自動車などの車両や、キャタピラによって移動する土木機械に類似の車両など、自由に走行できるものであればどのようなものであっても良い。この遊戯装置１１０によれば、遊戯者Ｙは走行車両１１２に搭乗してこれを操縦し、保持部１１１の開環部１１３から内部領域に進入して、上述した捕獲遊戯を行う。このように、この遊戯装置１１０によると、遊戯者Ｙは自由に走行することができる走行車両に搭乗して上記捕獲遊戯を楽しむことができるので、これに伴う臨場感や躍動感を体感することができ、取得装置２５の操作に関する好奇心をより満足させることができ、より趣味感に溢れた遊戯を楽しむことができる。尚、この場合において、前記走行車両１１２を垂直軸回りに回転可能に設けることもできる。また、前記保持部１１１は、図１７に示すように、これが平面視円形に形成され、その周囲を走行車両１１２が走行するように設けられたものであっても良い。
【００５８】
更に、図１６及び図１７に示した例において、走行車両１１２を保持部１１１の周囲に固定配置し、且つ垂直軸回りに回転移動可能に設けて、取得装置２５を保持部１１１上に移動可能にした構成とすることができ、更には、走行車両１１２を旋回アームにより支持し、この旋回アームを旋回移動させることにより、走行車両１１２を保持部１１１上に移動可能にした構成とすることもできる。尚、この場合、走行車両１１２は自走できないもので良い。
【００５９】
また、図１乃至図１７に示した取得装置２５，６３，７３は、上記構成のものに限られるものではなく、所謂マジックハンドや、熊手状のハンドや、土木機械のパワーショベル，ブルドーザに用いられるショベル機構のように被取得物品をバケット内に保持する機構や、吸引装置によって被取得物品を吸着する機構などからこれを構成してもい。
【００６０】
また、前記保持部６，６１，７１，９２，１１１は所定の収容容積を有する容器状のものでこれを構成したが、これに代えて、図１８に示すように、支持体１１６の側面に複数の支持バー１１７を突設し、各支持バー１１７に係止フック１１８を介して被取得物品７を吊下した構造の保持部１１５としたり、図１９に示すように、天井などに支持される支持部材１２１に、係止フック１１８を介して被取得物品７を吊下した構造の保持部１２０としても良い。そして、かかる保持部１１５，１２０を用いる場合には、フック１１９を備えた機構から前記取得装置２５を構成し、このフック１１９を前記係止フック１１８に引っかけて、前記被取得物品７を支持バー１１７から取り外し、これを取得するようにしたり、マジックハンドを備えた機構から前記取得装置２５を構成し、このマジックハンドにより前記被取得物品７を把持して支持部材１２１から取り外し、これを取得するようにすると良い。
【００６１】
このように、前記保持部６，６１，７１，９２，１１１及び取得装置２５には各種構造のものを用いることができる。したがって、これら各種の保持部を取得遊戯領域内に配設すると共に、乗物装置に各種の取得装置を付設し、保持部の種類に応じて取得装置を使い分けて遊戯させるようにすることができる。また、複数区画に区分けされる前記９２，１１１にはそれぞれ異なる形態の被取得物品を収容するようにしても良く、その収容態様をそれぞれで異なるようにしても良い。
【００６２】
例えば、被取得物品の形態に関しては、キャラクタ・グッズ，メダル，コイン，くじ，カードなどの景品をカプセル，バルーンや袋状の収容体に収容したもの，かかる収容体に収容していないもの，収容体の形状が異なるものを混在させて変化をもたせることができ、保持部内への収容形態に関しては、被取得物品をそのまま収容した態様、収容した被取得物品を空気流などによって流動させるようにした態様や、保持部９２，１１１内に水をはりこの上に被取得物品を浮かせたり、或いは沈めたり、更には、この場合、被取得物品を魚介類などの生物としても良い。
【００６３】
また、上述した各態様の構成要素は、上記全ての態様においてこれらを適宜組み合わせて適用することができ、例えば、図１，図２及び図５に示した排出ダクト８及び図１０に示した排出ダクト６７は、これを他の態様の前記保持部６，６１，７１，９２，１１１に設けることができ、同様に、図３に示した回収部３４は、これを他の態様の乗物装置１０，６２，７２，９３，１０２，１１２に設けることができる。また、図１１及び図１３に示した屋根７６を他の態様のものにに設けても良い。また、前記取得遊戯領域を形成する空間全体を透明体などのカバー材で包囲した構造としても良い。
【図面の簡単な説明】
【図１】本発明の一実施形態に係る遊戯装置の全体を示す正断面図である。
【図２】図１示した遊戯装置の平面図である。
【図３】本実施形態に係る乗物装置を拡大して示す拡大図である。
【図４】図３における矢視Ａ方向の側面図である。
【図５】本発明の他の実施形態に係る遊戯装置を示す平面図である。
【図６】本発明の他の実施形態に係る遊戯装置を示す平面図である。
【図７】本発明の他の実施形態に係る遊戯装置を示す斜視図である。
【図８】本発明の他の実施形態に係る乗物装置を示す斜視図である。
【図９】本発明の他の実施形態に係る乗物装置を示す斜視図である。
【図１０】本発明の他の実施形態に係る遊戯装置を示す斜視図である。
【図１１】本発明の他の実施形態に係る遊戯装置を示す斜視図である。
【図１２】本発明の他の実施形態に係る取得装置を示す斜視図である。
【図１３】本発明の他の実施形態に係る遊戯装置を示す斜視図である。
【図１４】本発明の更に他の実施形態に係る遊戯装置を示す平面図である。
【図１５】本発明の更に他の実施形態に係る遊戯装置を示す平面図である。
【図１６】本発明の更に他の実施形態に係る遊戯装置を示す平面図である。
【図１７】本発明の更に他の実施形態に係る遊戯装置を示す平面図である。
【図１８】他の実施形態に係る保持部を示す斜視図である。
【図１９】更に他の実施形態に係る保持部を示す斜視図である。
【図２０】従来の遊戯装置を示す斜視図である。
【符号の説明】
１    遊戯装置
２    仕切体
３    取得遊戯領域
４    走行レール
６    保持部
７    被取得物品
１０  乗物装置
２５  取得装置
【図１】
0004577966.tif 000002
【図２】
0004577966.tif 000003
【図３】
0004577966.tif 000004
【図４】
0004577966.tif 000005
【図５】
0004577966.tif 000006
【図６】
0004577966.tif 000007
【図７】
0004577966.tif 000008
【図８】
0004577966.tif 000009
【図９】
0004577966.tif 000010
【図１０】
0004577966.tif 000011
【図１１】
0004577966.tif 000012
【図１２】
0004577966.tif 000013
【図１３】
0004577966.tif 000014
【図１４】
0004577966.tif 000015
【図１５】
0004577966.tif 000016
【図１６】
0004577966.tif 000017
【図１７】
0004577966.tif 000018
【図１８】
0004577966.tif 000019
【図１９】
0004577966.tif 000020
【図２０】
0004577966.tif 000021